(57)【要約】【課題】据付作業時に使用する部材の紛失および汚れを防止でき、かつ製造時における低コスト化を図ることができる空気調和機の室外機を提供することである。【解決手段】空気調和機の室外機１００においては、保持部１８０，〜，１９７により空気調和機５００の据付または取外しの場合に使用する部材が保持される。据付作業時に使用する部材を保持部１８０，〜，１９７に保持させることにより、当該部材の紛失および汚れを防止でき、かつ製造時における低コスト化を図ることができる。【選択図】図３
2009024903.tif 000002
【特許請求の範囲】
【請求項１】
循環する冷媒と屋外の空気との間で熱交換を行う空気調和装置であって、
前記空気調和装置の室外機および室内機の少なくとも一方に据付時等に使用する部材を保持する保持手段を含むことを特徴とする空気調和装置。
【請求項２】
前記保持手段は、前記室内機の据付時等に使用する室内機の配線カバーの近傍に設けられたことを特徴とする請求項１記載の空気調和装置。
【請求項３】
前記保持手段は、前記室内機との間で熱交換を行うため前記空気調和装置の室外機の閉鎖弁近傍に設けられたことを特徴とする請求項１記載の空気調和装置。
【請求項４】
前記保持手段は、１または複数の鉤形状からなることを特徴とする請求項１から請求項３のいずれか１項に記載の空気調和装置。
【請求項５】
前記保持手段は、箱形状からなることを特徴とする請求項１から請求項３のいずれか１項に記載の空気調和装置。
【請求項６】
前記箱形状は、複数の部材により形成されたことを特徴とする請求項５に記載の空気調和装置。
【請求項７】
前記複数の部材の少なくとも一部材は、前記室外機の閉鎖弁近傍に設けられた開口部を形成するための廃棄部材を有効利用したことを特徴とする請求項６記載の空気調和装置。
【請求項８】
前記保持手段は、金属の切り欠き加工および絞り加工のいずれか一方により形成されたことを特徴とする請求項１から請求項７のいずれか１項に記載の空気調和装置。
【請求項９】
前記保持手段は、樹脂の一体成形により形成されたことを特徴とする請求項１から請求項７のいずれか１項に記載の空気調和装置。
【発明の詳細な説明】
【技術分野】
【０００１】
本発明は、空気調和機の設置部品の収納部を設けた空気調和装置の室外機に関する。
【背景技術】
【０００２】
一般に、空気調和装置の据付時または移設時に、据付工事が行われる。この据付工事には、冷媒配管接続および電気配線接続等の作業が必要となる。これらの作業時において、使用される部材、例えば、フレアナット、弁蓋、配線固定部材、異径管継手等は、空気調和装置の据付時のみではなく移設時にも必要となり、また、空気調和装置の冷媒を再充填する際にも必要となってくる。従来、異径管継手を室外機の梱包材に同梱させていたが、室外機の開梱時に当該部材を紛失する可能性が高く、現在では、空気調和機の室外機筐体に接着テープ等で貼付けられている。
【０００３】
また、例えば、部材を収納させることができる発明として特許文献１がある。特許文献１には、後からナットを嵌込むことで、ボルトを用いての部品の確実な取り付けを可能にするナット収納部付き樹脂成形品について開示されている。
【０００４】
特許文献１記載のナット収納部付き樹脂成形品においては、後からナットをそのネジ孔と直交する方向に嵌込む凹所を有し、該凹所が、ナットの外周の平行面を規制してナットを回り止めする一対の左右側壁と、ナットの前後端面を規制する一対の前後壁と、ナットの外周の下端を突き当てることでナットの嵌込み深さ位置を規制する突当底壁と、該突当底壁と対向するナット挿入用の上面開口とを備え、前記前壁に、嵌込んだナットに対しボルトを挿入する切欠が形成され、前記左右側壁の少なくとも一方に、ナットを嵌込む際にナットの外周の平行面によって押し潰されることでナットを押圧保持するリブが設けられたナット収納部付き樹脂成形品において、前記凹所の突当底壁に、ナットの嵌込みによる前記リブの削りカスを溜めるための空所を設けたことを特徴とするものである。
【０００５】
【特許文献１】特開平０９−２９６８１５号公報
【発明の開示】
【発明が解決しようとする課題】
【０００６】
しかしながら、特許文献１記載のナット収納部付き樹脂成形品においては、ナットの平行面を該凹所で把持して供回りを防止するものであり、当該箇所に当該部材を使用することが限定されているが、空気調和装置の室外機においては、使用する部材または使用しない部材等の選定が必要であり、当該構造を採用することができない。
【０００７】
また、従来のように製品出荷時の際に空気調和機の室外機筐体に当該部材を粘着テープで貼り付けた場合であっても、粘着テープの粘着強度が低いと、搬送時および開封時に当該部材が脱落するおそれが生じる。その結果、粘着テープの強度を維持させるため室外機筐体側の脱脂処理が必要となり、当該作業のコストアップおよび粘着テープのコストが必要になるという問題があった。また、据付作業時に、据付時に使用する部品を仮置きする場所がなく、地面に直接当該部品を置いたり、作業者のポケットに入れたりすることにより当該部品の紛失および汚れ付着の問題があった。さらに、据付時に使用しなかった当該部材は、廃却されるため、一度据付けた室外機を引越し等により移設させる場合、当該部材を再度購入する必要があった。
【０００８】
本発明の目的は、据付作業時に使用する部材の紛失および汚れを防止でき、かつ製造時における低コスト化を図ることができる空気調和装置を提供することである。
【０００９】
本発明の他の目的は、据付作業時に使用する部材の紛失、汚れおよび据付工事部位からのガス漏れを防止でき、かつ製造時における低コスト化を図ることができる空気調和装置を提供することである。
【課題を解決するための手段】
【００１０】
（１）
本発明に係る空気調和装置は、循環する冷媒と屋外の空気との間で熱交換を行う空気調和装置であって、空気調和装置の室外機および室内機の少なくとも一方に据付時等に使用する部材を保持する保持手段を含むものである。
【００１１】
本発明に係る空気調和装置においては、室外機および室内機の少なくとも一方に設けられた保持手段により空気調和装置の据付または取外しの場合に使用する部材が保持される。
【００１２】
この場合、粘着テープによる貼付け工程および脱脂処理が不要となり、さらに粘着テープ自体のコストも削減することができる。また、据付作業時に地面に直接当該部品を置いたり、作業者のポケットに入れたりすることによる当該部材の紛失および汚れ付着の問題も発生しない。したがって、据付作業時に使用する部材を保持手段に保持することにより、当該部材の紛失および汚れを防止でき、かつ製造時における低コスト化を図ることができる。
なお、据付時とは、空気調和機を新たに設置する場合のみならず、引越し等により空気調和機を移設させる場合も含む。
さらに、引越し等の移設時においても、部材の紛失を防止することによりフレアナットをつけることができるので、冷媒の漏れを確実に防ぐことができ、環境に悪影響を与えない。
【００１３】
（２）
保持手段は、室内機の据付時等に使用する室内機の配線カバーの近傍に設けられてもよい。
【００１４】
この場合、保持手段は、室内機の据付時等に使用する室内機の配線カバーの近傍に設けられるので、作業者は、室内機の据付および取外しの際に据付作業時に使用する部材を容易に確認でき、使用することができる。その結果、室内機の据付作業時に使用する部材の紛失および汚れを防止できる。
【００１５】
（３）
保持手段は、室内機との間で熱交換を行うための空気調和装置の室外機の閉鎖弁近傍に設けられてもよい。
【００１６】
この場合、保持手段は、室内機との間で熱交換を行うための空気調和装置の室外機の閉鎖弁近傍に設けられるので、作業者は、室外機の据付および取外しの際に据付作業時に使用する部材を容易に確認でき、使用することができる。すなわち、据付作業を行う際に配管または配線を接続する近傍に保持手段が設けられるので、作業効率が向上する。
【００１７】
（４）
保持手段は、１または複数の鉤形状からなってもよい。
【００１８】
保持手段が１個の鉤形状からなる場合、紐付きの袋に収納された据付に使用する部材を保持させることができるので、作業者が当該部材を容易に取り出すことができる。また、保持手段が複数の鉤形状からなる場合、袋に収納された据付に使用する部材を把持させることができるので、作業者が当該部材を容易に取り出すことができる。さらに、袋に入れずに保持手段を個々の据付に使用する部材に対応して形成することにより、個々の部材を直接的に保持させることもできる。また、複数の鉤形状を並べて形成することにより、袋に収納された据付に使用する部材を確実に把持させることもできる。
【００１９】
（５）
保持手段は、箱形状からなってもよい。
【００２０】
この保持手段が箱形状からなる場合、袋に収納された据付に使用する部材を箱形状の保持手段内に収納させることができるので、作業者が当該部材を容易に取り出すことができる。
【００２１】
（６）
箱形状は、複数の部材により形成されてもよい。
【００２２】
この場合、箱形状は、複数の部材により形成されるので、箱形状を形成するために、室外機筐体の金型等を複雑化しなくてもよい。すなわち、複数の部材を寄せ集めて箱形状を形成することができる。その結果、粘着テープ処理等の製造ランニングコストのみならず、金型等の製造イニシャルコストの増加も防止することができる。
【００２３】
（７）
複数の部材の少なくとも一部材は、室外機の閉鎖弁近傍に設けられた開口部を形成するための廃棄部材を有効利用してもよい。
【００２４】
この場合、複数の部材の少なくとも一部材は、閉鎖弁近傍に設けられた開口部を形成するための廃棄部材を有効利用することにより保持部を形成することができるので、粘着テープ処理等の製造ランニングコストおよび型等の製造イニシャルコストのみならず、箱形状を形成するための部材自体のコスト増加も防止することができる。
【００２５】
（８）
保持手段は、金属の切り欠き加工および絞り加工のいずれか一方により形成されてもよい。
【００２６】
この場合、金属の切り欠き加工により、鉤形状および袋形状の収納口を容易に形成することができ、絞り加工により袋形状の保持部を容易に形成することができる。その結果、コスト向上を抑制しつつ、保持手段を形成することができる。
【００２７】
（９）
保持手段は、樹脂の一体成形により形成されてもよい。
【００２８】
この場合、保持手段は、樹脂の一体成形により形成されるので、新たな部材を必要とせず、コスト上昇を抑制しつつ、据付に使用する部材を保持させることができる。
【発明の効果】
【００２９】
以上の説明に述べたように、本発明によれば、以下の効果が得られる。
【００３０】
本発明に係る空気調和装置の室外機によれば、据付時に使用する部材を保持手段に保持させることにより、据付作業時に使用する部材の紛失、汚れおよび据付工事部位からのガス漏れを防止でき、環境に悪影響を与えず、かつ製造時における低コスト化を図ることができる。
【発明を実施するための最良の形態】
【００３１】
以下、図面に基づいて、本発明に係る空気調和装置の実施形態について説明する。なお、以下の実施の形態においては、本発明を空気調和装置の室外機に適用した場合について説明する。
【００３２】
（第１の実施の形態）
図１は、本発明の第１の実施の形態に係る空気調和装置５００の外観の一例を示した模式図である。図１に示す空気調和装置５００は、室外機１００および室内機８００、さらに室内機８００と室外機１００とを接続するための接続配管８５０とからなるセパレート型空気調和機である。
【００３３】
図１に示すように、室外機１００は、１または複数の室内機８００からなるセパレート型の空気調和装置５００に使用されるものである。一般に室外機１００は屋外に設置され、室内機８００は屋内に設置される。したがって、セパレート型の空気調和装置５００では、１または複数の室内機８００と室外機１００とを接続配管８５０で接続する据付工事が必要となる。
【００３４】
なお、以下の実施の形態においては、室外機１００に本発明を適用する場合について説明するが、室内機８００の配線カバー８１０近傍に本発明を適用してもよい。当該詳細については、後述する。
【００３５】
次に、図２は、図１の室外機１００の側面部の構造の一例を示す模式的斜視図である。
【００３６】
図２に示すように、室外機１００の側面部には、側板１１０に閉鎖弁カバー２００が設けられている。この閉鎖弁カバー２００は、室外機１００の側面部を保護するために設けられており、据付工事の際に、閉鎖弁カバー２００を外すことにより、液閉鎖弁２１０、ガス閉鎖弁２２０および電気接続端子２３０が露出される。据付工事の際に、これらの液閉鎖弁２１０およびガス閉鎖弁２２０に対してフレア加工された接続配管８５０の一端が固定され、該接続配管８５０の他端が室内機８００側に接続される。それにより、液体の冷媒が液閉鎖弁２１０を介して室内機８００と循環が行われ、気体の冷媒がガス閉鎖弁２２０を介して室内機８００と循環される。
また、後述するように、これらの液閉鎖弁２１０およびガス閉鎖弁２２０は、側板１１０の切り欠き部１１１に重ねて設けられた閉鎖弁取付け板１１２に固定して取り付けられている。
【００３７】
次に、図３は、図２の室外機１００の側面部の詳細構造の一例を説明するための模式的斜視図であり、図４は図３の側面部の詳細構造を説明するための模式的組立図であり、図５は従来の側面部の詳細構造を説明するための模式的組立図である。
【００３８】
図３に示すように、室外機１００の側面部は、側板１１０および閉鎖弁取付け板１１２からなる。側板１１０の上部に開口部１３０が形成されており、当該開口部１３０は、
電気接続端子２３０（図２参照）への接続工事のために形成されている。図３および図４に示すように、側板１１０の中央部から下部にかけて切り欠き部１１１が形成されるとともに、湾曲部１２１、１２２、１２３、１２４が形成される。当該湾曲部１２１、１２２、１２３、１２４は、切り欠き部１１１の面よりも突出するように形成される。なお、この場合、湾曲部１２１、１２２、１２３、１２４は、液閉鎖弁２１０およびガス閉鎖弁２２０と干渉しないように設けられる。
【００３９】
また、図４および図５を比較することにより、従来の側板９１０においては、略Ｕ字状に切り欠き部９１１が形成されており、湾曲部１２１、１２２、１２３、１２４に相当する部分は、側板９１０の製造時にカットされ、廃棄されている。すなわち、本発明に係る側板１１０の湾曲部１２１、１２２、１２３、１２４は、従来廃棄されていた部分を有効利用して形成されている。
【００４０】
一方、図４に示すように、閉鎖弁取付け板１１２の液閉鎖弁２１０およびガス閉鎖弁２２０の近傍には、凹形状部３１０、３１１、３１２、３１３が形成されている。この凹形状部３１０、３１１、３１２、３１３は、湾曲部１２１、１２２、１２３、１２４にそれぞれ対応する位置に配設されている。以下、説明する。
【００４１】
図４に示すように、室外機１００の製造時に、液閉鎖弁２１０およびガス閉鎖弁２２０が固定された閉鎖弁取付け板１１２に対し、側板１１０が挿入されて固定される。その結果、図３に示すように、凹形状部３１０および湾曲部１２１により袋形状の保持部１８０が形成され、凹形状部３１１および湾曲部１２２により袋形状の保持部１８１が形成され、凹形状部３１２および湾曲部１２３により袋形状の保持部１８２が形成され、凹形状部３１３および湾曲部１２４により袋形状の保持部１８３が形成される。すなわち、凹形状部３１０、３１１、３１２、３１３により袋形状の奥側、底面および側面の一部が形成され、湾曲部１２１、１２２、１２３、１２４により側面の一部の残りが形成される。
【００４２】
以上の構成により、保持部１８０、１８１、１８２、１８３により据付時に使用する部材を保持させることができるので、粘着テープによる部材の貼付け工程および粘着テープの剥れ防止のための脱脂処理が不要となる。さらに粘着テープ自体のコストも削減することができる。ここで、据付時に使用する部材とは、フレアナット、弁蓋、配線止め具、結束バンド、異径管継手等を含む。
【００４３】
また、据付作業時に地面に直接当該部品を置いたり、作業者のポケットに入れたりすることによる部材の紛失および汚れ付着の問題も発生しない。したがって、据付作業時に使用する部材を保持部１８０、１８１、１８２、１８３で保持させることにより、当該部材の紛失および汚れを防止でき、かつ製造時における低コスト化を図ることができる。
【００４４】
なお、据付時とは、空気調和機を新たに設置する場合のみならず、引越し等により空気調和機を移設させる場合も含む。
【００４５】
さらに、引越し等の移設時においても、部材の紛失を防止することによりフレアナットをつけることができるので、冷媒等の漏れを確実に防ぐことができ、環境に悪影響を与えない。
【００４６】
保持部１８０、１８１、１８２、１８３は、室内機８００との間で熱交換を行うための空気調和装置５００の室外機１００の閉鎖弁近傍に設けられるので、作業者は、室外機１００の据付および取外しの際に据付作業時に使用する部材を容易に確認でき、使用することができる。また、保持部１８０、１８１、１８２、１８３は、湾曲部１２１、１２２、１２３、１２４および凹形状部３１０、３１１、３１２、３１３により形成されるので、室外機１００の筐体の金型等を複雑化しなくてもよい。また、側板１１０の本来廃棄する部材を有効利用することにより湾曲部１２１、１２２、１２３、１２４を形成することができる。その結果、粘着テープ処理等の製造ランニングコストのみならず、金型等の製造イニシャルコストの増加および保持部１８０、１８１、１８２、１８３を形成するためのコスト増加も防止することができる。また、保持部１８０、１８１、１８２、１８３は、据付作業が終了し、次回移設時までの長期に渡る間においても、閉鎖弁カバー２００により外環境から保護されるというメリットがある。
【００４７】
（第２の実施の形態）
次に、本発明に係る第２の実施の形態について説明する。図６は、閉鎖弁カバー２００の内側面に袋形状の保持部を形成した状態を示す模式的斜視図である。
【００４８】
図６に示すように、閉鎖弁カバー２００の内側の下部は、液閉鎖弁２１０およびガス閉鎖弁２２０と干渉しない空間領域がある。その空間領域に対して、袋形状の保持部１８４を形成する。一般に閉鎖弁カバー２００は、樹脂等で形成されているため、容易に袋形状の保持部１８４を形成することができる。なお、本実施の形態においては、閉鎖弁カバー２００が樹脂製であることとしたが、これに限定されず、金属等、他の任意の材質から形成されてもよい。
【００４９】
以上の構成により、室内機８００との間で熱交換を行うための空気調和装置５００の室外機１００の液閉鎖弁２１０およびガス閉鎖弁２２０の近傍の閉鎖弁カバー２００に袋形状の保持部１８４が設けられるので、作業者は、室外機１００の据付および取外しの際に据付作業時に使用する部材を容易に確認でき、使用することができる。特に閉鎖弁カバー２００は、据付作業時に取り外した状態となるため、閉鎖弁カバー２００内部の袋形状の保持部１８４から容易に部材を取り出すことができる。また、据付作業が終了し、次回移設時までの長期に渡る間においても、閉鎖弁カバー２００により外環境から保護されるというメリットがある。
【００５０】
（第３の実施の形態）
次いで、本発明に係る第３の実施の形態について説明する。図７は、閉鎖弁カバー２００の内側面に保持部を形成した状態を示す模式的斜視図である。
【００５１】
図７に示すように、閉鎖弁カバー２００の内側の下部は、液閉鎖弁２１０およびガス閉鎖弁２２０と干渉しない空間領域がある。その空間領域に対して、凸形状を有する保持部１８５，１８６，１８７，１８８を形成する。本実施の形態においては、保持部１８５は、単に凸形状を有する矩形状の棒状部材からなり、保持部１８６は、根元に支持部を備えた丸棒状部材からなり、保持部１８７，１８８は、円筒棒状の内部に切り込みが入れられた弾性変形可能部材からなる。ここで、保持部１８５、１８６、１８７は、それぞれ異なる形状であるが、被保持部材に応じて種々の形状を採用することができ、本実施の形態に限定されるものではない。また、閉鎖弁カバー２００の内側に被保持部材の外形に応じて凹形状を形成し、被保持部材を埋め込むまたは嵌め込み可能な形状を形成してもよい。
【００５２】
以上の構成により、保持部１８５，１８６，１８７，１８８の個々に紐付きの袋に収納された据付に使用する部材を保持させることができるので、作業者が当該部材を容易に取り出すことができる。さらに、袋に入れずに保持部を個々の据付に使用する部材（被保持部材）に対応して形成することにより、個々の部材を直接的に保持させることもできる。
また、凸形状を有する保持部１８５，１８６，１８７，１８８を樹脂の一体成形により形成させることにより、新たな部材を必要とせず、コスト上昇を抑制しつつ、据付に使用する部材を保持させることができる。
【００５３】
また、特に閉鎖弁カバー２００は、据付作業時に取り外した状態となるため、閉鎖弁カバー２００内部の保持部１８５，１８６，１８７，１８８から容易に部材を取り出すことができる。また、据付作業が終了し、次回移設時までの長期に渡る間においても、閉鎖弁カバー２００により外環境から保護されるというメリットがある。
【００５４】
（第４の実施の形態）
続いて、本発明に係る第４の実施の形態について説明する。図８は、側板１１０に複数の鉤形状からなる保持部１８９、１９０を形成した状態を示す図である。
【００５５】
図８に示すように、側板１１０に複数のコ字形状の切り欠きを形成し、その切り欠きを隆起させて鉤形状を複数形成する。図８に示すように、垂直下方から支持可能なように鉤形状を一列に複数形成し、水平左右方向から支持可能なようにサイドに支持形状を形成する。それらの鉤形状により保持部１８９、１９０が形成される。このように、鉤形状が一列に配置されることにより、大きな部材を抱え込ませることができる。
【００５６】
以上の構成により、また、複数の鉤形状を並べて形成することにより、保持部１８９、１９０により据付に使用する部材を確実に把持させることもできる。すなわち、複数の鉤形状を屈曲させることにより把持させることができる。また、据付に使用する部材を把持するのみならず、鉤形状のまま形成させ、部材を仮置きさせておくことも可能となる。
【００５７】
（第５の実施の形態）
続いて、本発明に係る第５の実施の形態について説明する。図９は、側板１１０に複数の鉤形状からなる保持部１９１、１９２、１９３を形成した状態を示す模式的斜視図である。
【００５８】
図９に示すように、側板１１０に複数のコ字形状の切り欠きを形成し、その切り欠きを隆起させて鉤形状を複数形成する。図９に示すように、垂直下方から支持可能なように鉤形状を一列に複数形成し、水平左右方向から保持可能なようにサイドに鉤形状を形成する。それらの鉤形状により保持部１９１、１９２、１９３が形成される。このように、鉤形状が一列に配置されることにより、大きな部材を抱え込ませることができる。
【００５９】
以上の構成により、また、複数の鉤形状を並べて形成することにより、保持部１９１、１９２、１９３により据付に使用する部材を確実に把持させることもできる。すなわち、複数の鉤形状を屈曲させることにより把持させることができる。また、据付に使用する部材を把持するのみならず、鉤形状のまま形成させ、部材を仮置きさせておくことも可能となる。
【００６０】
（第６の実施の形態）
続いて、本発明に係る第６の実施の形態について説明する。図１０は、閉鎖弁取付け板１１２に複数の保持部１９４、１９５、１９６、１９７を形成した状態を示す模式的斜視図である。
【００６１】
図１０に示すように、閉鎖弁取付け板１１２の液閉鎖弁２１０およびガス閉鎖弁２２０の近傍に水平にスリットを形成し、スリットの下方を絞り加工する。それにより、図１０に示す袋形状の複数の保持部１９４、１９５、１９６、１９７が、閉鎖弁取付け板の液閉鎖弁２１０およびガス閉鎖弁２２０の孔の近傍に形成される。なお、袋形状の複数の保持部１９４、１９５、１９６、１９７の奥行きは、室外機１００の内部に配置される圧縮機の保護部材または接続配管８５０の保護部材により閉塞されるので、部材が室外機１００内部に転落しない。
【００６２】
以上の構成により、金属の切り欠き加工により、鉤形状および袋形状の収納口を容易に形成することができ、絞り加工により複数の保持部１９４、１９５、１９６、１９７を容易に形成することができる。
【００６３】
なお、上記第１から第６の実施の形態においては、室外機１００の側板１１０に保持部１８０〜１９７を形成することとしたが、これに限定されず、室内機８００の配線カバー近傍に、保持部１８０〜１９７と同様の形状を形成することとしてもよい。
【００６４】
さらに、板金の切り欠きまたは絞り加工および樹脂の一体成型により保持部を形成することとしたが、これに限定されず、コスト面を考慮しない場合には、スポット溶接または接着等により保持部を形成してもよい。
【００６５】
なお、上記第１から第６の実施の形態においては、空気調和装置５００が空気調和装置に相当し、室外機１００が室外機に相当し、室内機８００が室内機に相当し、保持部１８０，〜，１９７が保持手段に相当し、配線カバー８１０が配線カバーに相当し、液閉鎖弁２１０およびガス閉鎖弁２２０が閉鎖弁に相当し、保持部１８９，〜，１９３が１または複数の鉤形状に相当し、保持部１８４が箱形状に相当し、湾曲部１２１、１２２、１２３、１２４および凹形状部３１０、３１１、３１２、３１３が複数の部材に相当し、湾曲部１２１、１２２、１２３、１２４が廃棄部材に相当する。
【００６６】
本発明は、上記の好ましい第１から第６の実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。例えば、本発明は、セパレート型の空気調和装置に限定されるものではなく、室内外における冷媒配管をフレア加工により接続している機種全般に適用することができる。
【産業上の利用可能性】
【００６７】
本発明の空気調和装置を利用すれば、据付時に使用する部材を保持手段に保持させることにより、据付作業時に使用する部材の紛失、汚れおよび据付工事部位からのガス漏れを防止でき、かつ製造時における低コスト化を図ることができる。すなわち、室内機および室外機において据付工事を行う空気調和機全般に利用することができる。
【図面の簡単な説明】
【００６８】
【図１】本発明の第１の実施の形態に係る空気調和装置の外観の一例を示した模式図
【図２】図１の室外機の側面部の構造の一例を示す模式的斜視図
【図３】図２の室外機の側面部の詳細構造の一例を説明するための模式的斜視図
【図４】図３の側面部の詳細構造を説明するための模式的組立図
【図５】従来の側面部の詳細構造を説明するための模式的組立図
【図６】閉鎖弁カバーの内側面に袋形状の保持部を形成した状態を示す模式的斜視図
【図７】閉鎖弁カバーの内側面に保持部を形成した状態を示す模式的斜視図
【図８】側板に複数の鉤形状からなる保持部を形成した状態を示す図
【図９】側板に複数の鉤形状からなる保持部を形成した状態を示す模式的斜視図
【図１０】閉鎖弁取付け板に複数の保持部を形成した状態を示す模式的斜視図
【符号の説明】
【００６９】
１００  室外機
１１０  側板
１１１  切り欠き部
１１２  閉鎖弁取付け板
１２１、１２２、１２３、１２４  湾曲部
１３０  開口部
１８０，〜，１９７  保持部
２００  閉鎖弁カバー
２１０  液閉鎖弁
２２０  ガス閉鎖弁
２３０  電気接続端子
３１０，〜，３１３  凹形状部
５００  空気調和装置
８００  室内機
８１０  配線カバー
８５０  接続配管
【図１】
2009024903.tif 000003
【図２】
2009024903.tif 000004
【図３】
2009024903.tif 000005
【図４】
2009024903.tif 000006
【図５】
2009024903.tif 000007
【図６】
2009024903.tif 000008
【図７】
2009024903.tif 000009
【図８】
2009024903.tif 000010
【図９】
2009024903.tif 000011
【図１０】
2009024903.tif 000012
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
循環する冷媒と屋外の空気との間で熱交換を行う空気調和機であって、
前記空気調和機の室外機および室内機の少なくとも一方に据付時等に使用する部材を保持する保持手段を含むことを特徴とする空気調和機。
【請求項２】
前記保持手段は、前記室内機の据付時等に使用する室内機の配線カバーの近傍に設けられたことを特徴とする請求項１記載の空気調和機。
【請求項３】
前記保持手段は、前記室内機との間で熱交換を行うため前記空気調和機の室外機の閉鎖弁近傍に設けられたことを特徴とする請求項１記載の空気調和機。
【請求項４】
前記保持手段は、１または複数の鉤形状からなることを特徴とする請求項１から請求項３のいずれか１項に記載の空気調和機。
【請求項５】
前記保持手段は、箱形状からなることを特徴とする請求項１から請求項３のいずれか１項に記載の空気調和機。
【請求項６】
前記箱形状は、複数の部材により形成されたことを特徴とする請求項５に記載の空気調和機。
【請求項７】
前記複数の部材の少なくとも一部材は、前記室外機の閉鎖弁近傍に設けられた開口部を形成するための廃棄部材を有効利用したことを特徴とする請求項６記載の空気調和機。
【請求項８】
前記保持手段は、金属の切り欠き加工および絞り加工のいずれか一方により形成されたことを特徴とする請求項１から請求項７のいずれか１項に記載の空気調和機。
【請求項９】
前記保持手段は、樹脂の一体成形により形成されたことを特徴とする請求項１から請求項７のいずれか１項に記載の空気調和機。
【手続補正３】
【補正対象書類名】明細書
【補正対象項目名】０００１
【補正方法】変更
【補正の内容】
【０００１】
本発明は、空気調和機の設置部品の収納部を設けた空気調和機の室外機に関する。
【手続補正４】
【補正対象書類名】明細書
【補正対象項目名】０００２
【補正方法】変更
【補正の内容】
【０００２】
一般に、空気調和機の据付時または移設時に、据付工事が行われる。この据付工事には、冷媒配管接続および電気配線接続等の作業が必要となる。これらの作業時において、使用される部材、例えば、フレアナット、弁蓋、配線固定部材、異径管継手等は、空気調和機の据付時のみではなく移設時にも必要となり、また、空気調和機の冷媒を再充填する際にも必要となってくる。従来、異径管継手を室外機の梱包材に同梱させていたが、室外機の開梱時に当該部材を紛失する可能性が高く、現在では、空気調和機の室外機筐体に接着テープ等で貼付けられている。
【手続補正５】
【補正対象書類名】明細書
【補正対象項目名】０００６
【補正方法】変更
【補正の内容】
【０００６】
しかしながら、特許文献１記載のナット収納部付き樹脂成形品においては、ナットの平行面を該凹所で把持して供回りを防止するものであり、当該箇所に当該部材を使用することが限定されているが、空気調和機の室外機においては、使用する部材または使用しない部材等の選定が必要であり、当該構造を採用することができない。
【手続補正６】
【補正対象書類名】明細書
【補正対象項目名】０００８
【補正方法】変更
【補正の内容】
【０００８】
本発明の目的は、据付作業時に使用する部材の紛失および汚れを防止でき、かつ製造時における低コスト化を図ることができる空気調和機を提供することである。
【手続補正７】
【補正対象書類名】明細書
【補正対象項目名】０００９
【補正方法】変更
【補正の内容】
【０００９】
本発明の他の目的は、据付作業時に使用する部材の紛失、汚れおよび据付工事部位からのガス漏れを防止でき、かつ製造時における低コスト化を図ることができる空気調和機を提供することである。
【手続補正８】
【補正対象書類名】明細書
【補正対象項目名】００１０
【補正方法】変更
【補正の内容】
【００１０】
（１）
本発明に係る空気調和機は、循環する冷媒と屋外の空気との間で熱交換を行う空気調和機であって、空気調和機の室外機および室内機の少なくとも一方に据付時等に使用する部材を保持する保持手段を含むものである。
【手続補正９】
【補正対象書類名】明細書
【補正対象項目名】００１１
【補正方法】変更
【補正の内容】
【００１１】
本発明に係る空気調和機においては、室外機および室内機の少なくとも一方に設けられた保持手段により空気調和機の据付または取外しの場合に使用する部材が保持される。
【手続補正１０】
【補正対象書類名】明細書
【補正対象項目名】００１５
【補正方法】変更
【補正の内容】
【００１５】
（３）
保持手段は、室内機との間で熱交換を行うための空気調和機の室外機の閉鎖弁近傍に設けられてもよい。
【手続補正１１】
【補正対象書類名】明細書
【補正対象項目名】００１６
【補正方法】変更
【補正の内容】
【００１６】
この場合、保持手段は、室内機との間で熱交換を行うための空気調和機の室外機の閉鎖弁近傍に設けられるので、作業者は、室外機の据付および取外しの際に据付作業時に使用する部材を容易に確認でき、使用することができる。すなわち、据付作業を行う際に配管または配線を接続する近傍に保持手段が設けられるので、作業効率が向上する。
【手続補正１２】
【補正対象書類名】明細書
【補正対象項目名】００３０
【補正方法】変更
【補正の内容】
【００３０】
本発明に係る空気調和機の室外機によれば、据付時に使用する部材を保持手段に保持させることにより、据付作業時に使用する部材の紛失、汚れおよび据付工事部位からのガス漏れを防止でき、環境に悪影響を与えず、かつ製造時における低コスト化を図ることができる。
【手続補正１３】
【補正対象書類名】明細書
【補正対象項目名】００３１
【補正方法】変更
【補正の内容】
【００３１】
以下、図面に基づいて、本発明に係る空気調和機の実施形態について説明する。なお、以下の実施の形態においては、本発明を空気調和機の室外機に適用した場合について説明する。
【手続補正１４】
【補正対象書類名】明細書
【補正対象項目名】００３２
【補正方法】変更
【補正の内容】
【００３２】
（第１の実施の形態）
図１は、本発明の第１の実施の形態に係る空気調和機５００の外観の一例を示した模式図である。図１に示す空気調和機５００は、室外機１００および室内機８００、さらに室内機８００と室外機１００とを接続するための接続配管８５０とからなるセパレート型空気調和機である。
【手続補正１５】
【補正対象書類名】明細書
【補正対象項目名】００３３
【補正方法】変更
【補正の内容】
【００３３】
図１に示すように、室外機１００は、１または複数の室内機８００からなるセパレート型の空気調和機５００に使用されるものである。一般に室外機１００は屋外に設置され、室内機８００は屋内に設置される。したがって、セパレート型の空気調和機５００では、１または複数の室内機８００と室外機１００とを接続配管８５０で接続する据付工事が必要となる。
【手続補正１６】
【補正対象書類名】明細書
【補正対象項目名】００４６
【補正方法】変更
【補正の内容】
【００４６】
保持部１８０、１８１、１８２、１８３は、室内機８００との間で熱交換を行うための空気調和機５００の室外機１００の閉鎖弁近傍に設けられるので、作業者は、室外機１００の据付および取外しの際に据付作業時に使用する部材を容易に確認でき、使用することができる。また、保持部１８０、１８１、１８２、１８３は、湾曲部１２１、１２２、１２３、１２４および凹形状部３１０、３１１、３１２、３１３により形成されるので、室外機１００の筐体の金型等を複雑化しなくてもよい。また、側板１１０の本来廃棄する部材を有効利用することにより湾曲部１２１、１２２、１２３、１２４を形成することができる。その結果、粘着テープ処理等の製造ランニングコストのみならず、金型等の製造イニシャルコストの増加および保持部１８０、１８１、１８２、１８３を形成するためのコスト増加も防止することができる。また、保持部１８０、１８１、１８２、１８３は、据付作業が終了し、次回移設時までの長期に渡る間においても、閉鎖弁カバー２００により外環境から保護されるというメリットがある。
【手続補正１７】
【補正対象書類名】明細書
【補正対象項目名】００４９
【補正方法】変更
【補正の内容】
【００４９】
以上の構成により、室内機８００との間で熱交換を行うための空気調和機５００の室外機１００の液閉鎖弁２１０およびガス閉鎖弁２２０の近傍の閉鎖弁カバー２００に袋形状の保持部１８４が設けられるので、作業者は、室外機１００の据付および取外しの際に据付作業時に使用する部材を容易に確認でき、使用することができる。特に閉鎖弁カバー２００は、据付作業時に取り外した状態となるため、閉鎖弁カバー２００内部の袋形状の保持部１８４から容易に部材を取り出すことができる。また、据付作業が終了し、次回移設時までの長期に渡る間においても、閉鎖弁カバー２００により外環境から保護されるというメリットがある。
【手続補正１８】
【補正対象書類名】明細書
【補正対象項目名】００６５
【補正方法】変更
【補正の内容】
【００６５】
なお、上記第１から第６の実施の形態においては、空気調和機５００が空気調和機に相当し、室外機１００が室外機に相当し、室内機８００が室内機に相当し、保持部１８０，〜，１９７が保持手段に相当し、配線カバー８１０が配線カバーに相当し、液閉鎖弁２１０およびガス閉鎖弁２２０が閉鎖弁に相当し、保持部１８９，〜，１９３が１または複数の鉤形状に相当し、保持部１８４が箱形状に相当し、湾曲部１２１、１２２、１２３、１２４および凹形状部３１０、３１１、３１２、３１３が複数の部材に相当し、湾曲部１２１、１２２、１２３、１２４が廃棄部材に相当する。
【手続補正１９】
【補正対象書類名】明細書
【補正対象項目名】００６６
【補正方法】変更
【補正の内容】
【００６６】
本発明は、上記の好ましい第１から第６の実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。例えば、本発明は、セパレート型の空気調和機に限定されるものではなく、室内外における冷媒配管をフレア加工により接続している機種全般に適用することができる。
【手続補正２０】
【補正対象書類名】明細書
【補正対象項目名】００６７
【補正方法】変更
【補正の内容】
【００６７】
本発明の空気調和機を利用すれば、据付時に使用する部材を保持手段に保持させることにより、据付作業時に使用する部材の紛失、汚れおよび据付工事部位からのガス漏れを防止でき、かつ製造時における低コスト化を図ることができる。すなわち、室内機および室外機において据付工事を行う空気調和機全般に利用することができる。
【手続補正２１】
【補正対象書類名】明細書
【補正対象項目名】００６８
【補正方法】変更
【補正の内容】
【００６８】
【図１】本発明の第１の実施の形態に係る空気調和機の外観の一例を示した模式図
【図２】図１の室外機の側面部の構造の一例を示す模式的斜視図
【図３】図２の室外機の側面部の詳細構造の一例を説明するための模式的斜視図
【図４】図３の側面部の詳細構造を説明するための模式的組立図
【図５】従来の側面部の詳細構造を説明するための模式的組立図
【図６】閉鎖弁カバーの内側面に袋形状の保持部を形成した状態を示す模式的斜視図
【図７】閉鎖弁カバーの内側面に保持部を形成した状態を示す模式的斜視図
【図８】側板に複数の鉤形状からなる保持部を形成した状態を示す図
【図９】側板に複数の鉤形状からなる保持部を形成した状態を示す模式的斜視図
【図１０】閉鎖弁取付け板に複数の保持部を形成した状態を示す模式的斜視図
【手続補正２２】
【補正対象書類名】明細書
【補正対象項目名】００６９
【補正方法】変更
【補正の内容】
【００６９】
１００  室外機
１１０  側板
１１１  切り欠き部
１１２  閉鎖弁取付け板
１２１、１２２、１２３、１２４  湾曲部
１３０  開口部
１８０，〜，１９７  保持部
２００  閉鎖弁カバー
２１０  液閉鎖弁
２２０  ガス閉鎖弁
２３０  電気接続端子
３１０，〜，３１３  凹形状部
５００  空気調和機
８００  室内機
８１０  配線カバー
８５０  接続配管